(57)【要約】      （修正有）【課題】光ピックアップユニットの突起とスクリュー軸の溝とを確実に係合させる。【解決手段】光ピックアップユニットと、光ディスクの径方向に光ピックアップユニットを移動させる移動機構と、移動機構が取り付けられるベースと、を備える光ディスク装置であって、移動機構は、モータと、モータによって回転するスクリュー軸と、を有し、光ピックアップユニットには、スクリュー軸の溝に係合する突起３６１と、突起をスクリュー軸に押圧するバネ３６４と、を有するガイド３６を有し、ガイドは、リードスクリューの軸方向に突出するストッパ３６５を有し、ストッパは、光ピックアップユニットの移動の端部において、ストッパのリードスクリューと対向しない面において、ベース及び移動機構の少なくとも一つと接触する。【選択図】図６
2013008421.tif 000002
【特許請求の範囲】
【請求項１】
装着された光ディスクからの反射光によって該光ディスクに記録されたデータを読み出す光ピックアップユニットと、
前記光ディスクの径方向に前記光ピックアップユニットを移動させる移動機構と、
前記移動機構が取り付けられるベースと、を備える光ディスク装置であって、
前記移動機構は、モータと、前記モータによって回転するスクリュー軸と、を有し、
前記光ピックアップユニットには、前記スクリュー軸の溝に係合する突起と、前記突起を前記スクリュー軸に押圧するバネと、を有するガイドを有し、
前記ガイドは、前記リードスクリューの軸方向に突出するストッパを有し、
前記ストッパは、前記光ピックアップユニットの移動の端部において、前記ストッパの前記リードスクリューと対向しない面において、前記ベース及び前記移動機構の少なくとも一つと接触することによって、前記光ピックアップユニットが、前記リードスクリューから離れない方向に規制することを特徴とする光ディスク装置。
【請求項２】
前記移動機構には、前記光ピックアップユニットの移動の端部において、前記ガイドと当接する面に、前記ストッパが挿入される穴が設けられ、
前記ストッパは、前記穴に挿入されることによって、前記移動機構と接触することを特徴とする請求項１に記載の光ディスク装置。
【請求項３】
前記ベースは、前記モータの外側に立設され、前記モータとの間に隙間を形成する凸部を有し
前記ストッパは、前記光ピックアップユニットの移動の端部において、前記隙間に挿入されることによって、前記ベースと当接することを特徴とする請求項１に記載の光ディスク装置。
【発明の詳細な説明】
【技術分野】
【０００１】
本発明は、光ディスク装置に関し、特に、光ピックアップユニットのストッパの構造に関する。
【背景技術】
【０００２】
光ディスクに情報を読み書きする光ディスク装置では、装着された光ディスクの内周から外周まで光ピックアップユニットが移動し、光ピックアップユニットから照射されたレーザ光の反射光を該光ピックアップユニットが検出することによって、光ディスクに記録されたデータを読み出している。
【０００３】
光ピックアップユニットは、光ディスクの内周から外周まで安定かつ確実に移動する機構が求められている。このため、モータによって回転するスクリュー軸が設けられ、該スクリュー軸の溝と光ピックアップユニット側の突起が係合することによって、光ピックアップユニットは、スクリュー軸の溝に沿って、内周と外周との間を移動する。
【先行技術文献】
【特許文献】
【０００４】
【特許文献１】特開平１１−１７６０６６号公報
【特許文献２】特開平５−１９８１０５号公報
【特許文献３】特開２００５−７１４９９号公報
【発明の概要】
【発明が解決しようとする課題】
【０００５】
この様な構造において、光ピックアップユニットが、最内周（又は、最外周）に位置するとき、モータに電流が印加され、スクリュー軸に過大なトルクが加わると、スクリュー軸の溝と係合している光ピックアップユニットの突起が、スクリュー軸の溝との係合が外れる歯飛びが発生することがある。
【０００６】
また、光ピックアップユニットが最内周（又は、最外周）に設けられたストッパと当接すると、スクリュー軸に結合されたモータの回転が抑止され、モータに流れる電流が変化する。このモータに流れる電流の変化によって、光ピックアップユニットが最内周（又は、最外周）に位置するとことが検出される。
【０００７】
このため、前述した歯飛びが発生すると、モータが回転するので、光ピックアップユニットが最内周（又は、最外周）に位置することことが検出できない場合がある。よって、光ピックアップユニットの突起とスクリュー軸の溝とを確実に係合させ、歯飛びを生じさせない構造が求められている。
【０００８】
光ピックアップユニットの突起とスクリュー軸の溝との係合が外れないようにする技術として、特許文献１〜３に記載された技術が提案されている。
【０００９】
特許文献１には、最内周９に到達した位置ではラックの反り返りをその背面から制限板３にて制約して噛合が外れることを防止する外れ防止手段７をシャーシ側の側壁に設ける光ピックアップ送り装置が記載されている。
【００１０】
特許文献２には、ハーフナット部３Ａが送りネジ１から離れようとした場合にはストッパ１２によってその回動を所定距離離れた位置で阻止させることによって、ハーフナット部３Ａと送りネジ１との噛合の離脱を防止するピックアップのスライド送り機構が記載されている。
【００１１】
特許文献３には、スクリューシャフト１２の軸線方向両端部の近傍にそれぞれ板ばね１４の移送進路に位置するストッパ部材２４、２５を設け、所定位置を越えて移送された板ばね１４がストッパ部材２４、２５に当接して位置規制されるようにした光ピックアップの移送機構が記載されている。
【課題を解決するための手段】
【００１２】
本発明の代表的な一例を示せば以下の通りである。すなわち、装着された光ディスクからの反射光によって該光ディスクに記録されたデータを読み出す光ピックアップユニットと、前記光ディスクの径方向に前記光ピックアップユニットを移動させる移動機構と、前記移動機構が取り付けられるベースと、を備える光ディスク装置であって、前記移動機構は、モータと、前記モータによって回転するスクリュー軸と、を有し、前記光ピックアップユニットには、前記スクリュー軸の溝に係合する突起と、前記突起を前記スクリュー軸に押圧するバネと、を有するガイドを有し、前記ガイドは、前記リードスクリューの軸方向に突出するストッパを有し、前記ストッパは、前記光ピックアップユニットの移動の端部において、前記ストッパの前記リードスクリューと対向しない面において、前記ベース及び前記移動機構の少なくとも一つと接触することによって、前記光ピックアップユニットが、前記リードスクリューから離れない方向に規制することを特徴とする。
【発明の効果】
【００１３】
本発明の実施の形態によると、光ピックアップユニットが最内周（又は、最外周）に位置しても、光ピックアップユニット側の突起とスクリュー軸の溝との係合が外れず、光ピックアップユニットが最内周（又は、最外周）に位置することを確実に検出することができる。
【図面の簡単な説明】
【００１４】
【図１】本発明の第１の実施の形態の光ディスク装置のトップケースを外した状態を示す斜視図である。
【図２】本発明の第１の実施の形態の光ディスク装置のトップケースを外した状態を示す上面図である。
【図３】本発明の第１の実施の形態のベースアッセンブリの上面図である。
【図４】本発明の第１の実施の形態のベースアッセンブリの斜視図である。
【図５】本発明の第１の実施の形態のモータブラケットの斜視図である。
【図６】本発明の実施の形態の光ディスク装置のガイドの斜視図である。
【図７】本発明の第１の実施の形態のベースアッセンブリの上面図である。
【図８】本発明の第１の実施の形態のベースアッセンブリの斜視図である。
【図９】本発明の第２の実施の形態のガイドの斜視図である。
【図１０】本発明の第２の実施の形態のベースアッセンブリの上面の拡大図である。
【図１１】本発明の第３の実施の形態のガイドの断面図である。
【発明を実施するための形態】
【００１５】
＜実施形態１＞
図１は、本発明の第１の実施の形態の光ディスク装置のトップケースを外した状態を示す斜視図であり、図２は、その上面図である。
【００１６】
本実施の形態の光ディスク装置は、光ディスクが装着されるトレイ２０を収納する箱形のケースアセンブリを備える。ケースアセンブリは、底面及び三つの壁面によって略箱形を形成するボトムケース１０、及びボトムケース１０の上面に取り付けられるトップケース（図示省略）によって構成される。
【００１７】
トレイ２０には、ベースアッセンブリ３０が取り付けられており、ベースアッセンブリ３０には、光ピックアップユニット３３及びモータが取り付けられている。モータは光ディスクが装着される回転軸４０に接続されており、モータの回転によって、装着された光ディスクが回転する。
【００１８】
光ピックアップユニット３３は、装着された光ディスクに照射されるレーザ光を出力するレーザ光源と、該光ディスクで反射したレーザ光を検出する光電変換素子と、を有する。
【００１９】
図３は、第１の実施の形態のベースアッセンブリ３０の上面図であり、図４は、その斜視図である。図３及び図４は、ベースアセンブリ３０の上面に取り付けられるベースプレートを取り外した状態を示す。
【００２０】
ベースアッセンブリ３０の枠を構成するベース３１には、光ピックアップユニット３３を保持するシャフト３４、３５が取り付けられている。また、ベース３１には、螺旋状の溝が形成されたスクリュー軸３８に結合されたモータ３７が取り付けられている。
【００２１】
光ピックアップユニット３３には、スクリュー軸３８の溝と係合する突起３６１（図６参照）を有するガイド３６が取り付けられている。このため、モータ３７（スクリュー軸３８）が回転することによって、光ピックアップユニット３３が、シャフト３４、３５にガイドされて、光ディスクの径方向に移動する。
【００２２】
ベース３１には、モータ４２が取り付けられている。モータ４２の回転軸は光ディスクが装着される回転軸４０に接続されており、モータ４２の回転によって装着された光ディスクが回転する。
【００２３】
図５は、第１の実施の形態のモータブラケット３９の斜視図であり、モータ３７及びスクリュー軸３８がモータブラケット３９に取り付けられた状態を示す。モータ３７は、スクリュー軸３８と共に、モータブラケット３９に取り付けられている。モータブラケット３９の、モータ３７の側には、係合穴３９Ａが形成されている。
【００２４】
図６は、第１の実施の形態ガイド３６の斜視図である。
【００２５】
ガイド３６は、スクリュー軸３８の溝と係合する突起３６１、ガイド３６を光ピックアップユニット３３に取り付けるための固定部３６２、突起３６１が形成された板状部３６３、突起３６１をスクリュー軸３８の方向に付勢するバネ部３６４、及び、スクリュー軸３８に沿って（光ピックアップユニット３３の移動方向に）延伸するストッパ３６５を有する。
【００２６】
突起３６１は、板状部３６３からスクリュー軸３８の方向に、スクリュー軸３８の螺旋状の溝に沿って傾いて突出する。突起３６１は二つ設けられており、各突起３６１がスクリュー軸３８の隣接する溝に係合するが、突起３６１は一つでもよい。
【００２７】
固定部３６２は、板状に形成されており、ガイド３６を光ピックアップユニット３３と結合するためのネジ止め穴を有している。
【００２８】
固定部３６２と板状部３６３とはバネ部３６４によって結合されている。バネ部３６４は、弾性のある樹脂でＵ字形に形成され、突起３６１（板状部３６３）をスクリュー軸３８に押し付ける方向に付勢し、突起３６１とスクリュー軸３８の溝とを確実に係合させる。
【００２９】
ストッパ３６５は、板状部３６３から横方向（光ピックアップユニット３３の移動方向）に延伸する。図６に示す例では、ストッパ３６５の先端が細くなるように面取りされているが、曲面に加工されてもよい。ストッパ３６５の先端を細くすることによって、ストッパ３６５の係合穴３９Ａへの挿入をガイドし、ストッパ３６５の根本を太くすることによって、ストッパ３６５と係合穴３９Ａとの係合時のがたつきを少なくすることができる。また、ストッパ３６５が同じ太さで突出しても、ストッパ３６５が係合穴３９Ａへスムーズに挿入される大きさであればよい。
【００３０】
図７は、第１の実施の形態ベースアッセンブリ３０の上面図であり、図８は、その斜視図である。図７及び図８は、ベースアセンブリ３０の上面に取り付けられるベースプレートを取り外した状態を示す。
【００３１】
図７及び図８に示す状態では、光ピックアップユニット３３が最内周に位置し、ガイド３６とモータブラケット３９とが当接し、ガイド３６のストッパ３６５が係合穴３９Ａに挿入される。すなわち、ストッパ３６５は、リードスクリュー３８と対向しない面において、モータブラケット３９（係合穴３９Ａの内面）と接触する。これによって、ガイド３６がスクリュー軸３８から離れず、ガイド３６の突起３６１とスクリュー軸３８の溝が係合した状態を保つことができる。
【００３２】
以上に説明したように、本発明の第１の実施の形態によると、スクリュー軸３８の溝に係合する突起３６１を有するガイド３６から光ピックアップユニット３３の移動方向に延伸するストッパ３６５を設け、光ピックアップユニット３３が最内周に位置する際にストッパ３６５が係合穴３９Ａに係合する。このため、光ピックアップユニット３３が最内周に位置する際に、ガイド３６がスクリュー軸３８から離れず、突起３６１とスクリュー軸３８の溝との係合を維持することができ、歯飛びを抑制することができる。このため、光ピックアップユニットが最内周（又は、最外周）に位置することを確実に検出することができる。
【００３３】
＜実施形態２＞
次に、本発明の第２の実施の形態について説明する。
【００３４】
前述した第１の実施の形態において、ガイド３６は、モータブラケット３９の係合穴３９Ａに係合するストッパ３６５を有するが、第２の実施の形態においては、ガイド３６は、モータ３７とベース３１との間の隙間に挿入されるストッパ３６６を有する。これ以外の点おいて、第２の実施の形態は前述した第１の実施の形態とは同一であるので、それらの説明は省略する。
【００３５】
図９は、第２の実施の形態のガイド３６の斜視図である。
【００３６】
ガイド３６は、スクリュー軸３８の溝と係合する突起３６１、ガイド３６を光ピックアップユニット３３に取り付けるための固定部３６２、突起３６１が形成された板状部３６３、突起３６１をスクリュー軸３８の方向に付勢するバネ部３６４、及び、スクリュー軸３８に沿って（光ピックアップユニット３３の移動方向に）延伸するストッパ３６６を有する。
【００３７】
突起３６１は、板状部３６３からスクリュー軸３８の方向に、スクリュー軸３８の螺旋状の溝に沿って傾いて突出する。突起３６１は二つ設けられており、各突起３６１がスクリュー軸３８の隣接する溝に係合するが、突起３６１は一つでもよい。
【００３８】
固定部３６２は、板状に形成されており、ガイド３６を光ピックアップユニット３３と結合するためのネジ止め穴を有している。
【００３９】
固定部３６２と板状部３６３とはバネ部３６４によって結合されている。バネ部３６４は、弾性のある樹脂でＵ字形に形成され、突起３６１（板状部３６３）をスクリュー軸３８に押し付ける方向に付勢し、突起３６１とスクリュー軸３８の溝とを確実に係合させる。
【００４０】
ストッパ３６６は、板状部３６３から横方向（光ピックアップユニット３３の移動方向）に延伸する。具体的には、ストッパ３６６は、板状部３６３から延伸し、左方向に屈曲された後、さらにスクリュー軸３８に沿う方向に延伸する。図９に示す例では、ストッパ３６６は同じ太さで突出するが、先端が細くなるように加工されてもよい。ストッパ３６６の先端の形状を細くすることによって、モータ３７とベース３１との間の隙間へのストッパ３６６の挿入をガイドし、ストッパ３６６の根本を太くすることによって、モータ３７とベース３１との間の隙間とストッパ３６６との係合時のがたつきを少なくすることができる。
【００４１】
図１０は、第２の実施の形態のベースアッセンブリ３０の上面の拡大図であり、ベースアセンブリ３０の上面に取り付けられるベースプレートを取り外した状態で、光ピックアップユニット３３が最内周に位置する場合を示す。
【００４２】
図１０に示す状態では、光ピックアップユニット３３が最内周に位置し、ストッパ３６６とモータブラケット３９とが当接する。ベース３１には、モータ３７の外側面との間で隙間を形成する壁３１Ａが立設している。この状態で、ストッパ３６６は、モータ３７と壁３１Ａとの間の隙間に挿入される。
【００４３】
なお、この隙間は、ベース３１の一部によって形成されればよく、モータ３７の外側面によって構成されなくてもよい。また、ベース３１から立設するのは壁ではなく、棒でもよい。すなわち、ベース３１から凸部が突出していれば、どのような形状でもよい。また、第２の実施の形態では、ストッパ３６６が挿入される隙間は、スクリュー軸側の壁がなくても、光ディスクの回転軸側の壁があればよい。これは、第２の実施の形態において、ガイド３６がスクリュー軸３８から離れない方向で、ストッパ３６６の位置が規制されれば足りるからである。
【００４４】
すなわち、ストッパ３６６は、リードスクリュー３８と対向しない面において、ベース３１の一部と接触する。これによって、ガイド３６がスクリュー軸３８から離れず、ガイド３６の突起３６１とスクリュー軸３８の溝が係合した状態を保つことができる。
【００４５】
図１０では、モータ３７とベース３１との間の隙間にストッパ３６６が挿入されたが、ガイド３６がスクリュー軸３８から離れる方向の動きが、ストッパ３６６によって抑制されればよく、例えば、光ピックアップユニット３３が最内周に位置する際にストッパ３６６を外側（スクリュー軸３８の反対側である、図１０の左側）から押さえる構造であればよい。
【００４６】
以上に説明したように、本発明の第２の実施の形態によると、スクリュー軸３８の溝に係合する突起３６１を有するガイド３６から光ピックアップユニット３３の移動方向に延伸するストッパ３６６を設け、光ピックアップユニット３３が最内周に位置する際にストッパ３６６がモータ３７とベース３１との間の隙間に挿入される。このため、光ピックアップユニット３３が最内周に位置する際に、ガイド３６がスクリュー軸３８から離れず、突起３６１とスクリュー軸３８の溝との係合を維持することができ、歯飛びを抑制することができる。このため、光ピックアップユニットが最内周（又は、最外周）に位置することを確実に検出することができる。
【００４７】
＜実施形態３＞
次に、本発明の第３の実施の形態について説明する。
【００４８】
図１１は、第３の実施の形態のガイド３６の断面図である。
【００４９】
ガイド３６は、スクリュー軸３８の溝と係合する突起３６１、ガイド３６を光ピックアップユニット３３に取り付けるための固定部３６２、突起３６１を収容するケース３６７、突起３６１をスクリュー軸３８の方向に付勢するバネ３６８、及び、突起３６１の後退を抑制するストッパ３６９を有する。
【００５０】
突起３６１は、板状部３６３からスクリュー軸３８の方向に、スクリュー軸３８の螺旋状の溝に沿って傾いて突出する。図１１では、突起３６１は一つ図示されているが、突起３６１は二つ設けられてもよい。
【００５１】
固定部３６２は、板状に形成されており、ガイド３６を光ピックアップユニット３３と結合するためのネジ止め穴（図示省略）を有している。
【００５２】
ケース３６７は、箱形で、固定部３６２と一体に形成されている。
【００５３】
バネ３６８は、例えばコイルバネであり、ケース３６７に収容され、ケース３６７の中から突起３６１を外側（スクリュー軸３８に押し付ける方向）に付勢し、突起３６１とスクリュー軸３８の溝とを確実に係合させる。なお、突起３６１がバネ３６８によって押圧されても、突起３６１のウイング部３６１Ａが、ケース３６７の内壁と当接することによって、突起３６１がケース外に飛び出さないようになっている。このため、突起３６１は、ケース３６７に形成された穴より大きい（例えば、幅広の）ウイング部３６１Ａを有する。
【００５４】
ストッパ３６９は、ケース３６７の内壁から内側に突出しており、突起３６１がケース３６７の内側に押し込まれた際に、突起３６１のウイング部３６１Ａと当接する。ストッパ３６９とウイング部３６１Ａとが当接することによって、突起３６１が後退することなく、ガイド３６がスクリュー軸３８から離れず、ガイド３６の突起３６１とスクリュー軸３８の溝が係合した状態を保つことができる。
【００５５】
以上に説明したように、本発明の第３の実施の形態によると、突起３６１の後退を防止するストッパ３６９を設けたので、ガイド３６がスクリュー軸３８から離れず、突起３６１とスクリュー軸３８の溝との係合を維持することができ、歯飛びを抑制することができる。
【００５６】
以上、本発明の実施の形態について、光ピックアップユニット３３が最内周に位置する際の、突起３６１とスクリュー軸３８の溝との係合を維持する構造について説明したが、光ピックアップユニット３３が最外周に位置する場合にも同様の歯飛びが生じ得るので、本実施の形態を外周側に適用して、最外周における突起３６１とスクリュー軸３８の溝との係合を維持することもできる。このため、光ピックアップユニットが最内周（又は、最外周）に位置することを確実に検出することができる。
【００５７】
特許請求の範囲に記載した以外の本発明の観点の代表的なものとして、次のものがあげられる。
【００５８】
（１）装着された光ディスクからの反射光によって該光ディスクに記録されたデータを読み出す光ピックアップユニットと、
前記光ディスクの径方向に前記光ピックアップユニットを移動させる移動機構と、
前記移動機構が取り付けられるベースと、を備える光ディスク装置であって、
前記移動機構は、モータと、前記モータによって回転するスクリュー軸と、を有し、
前記光ピックアップユニットには、前記スクリュー軸の溝に係合する突起と、前記突起を前記スクリュー軸に押圧するバネと、前記突起が前記バネの力に抗して押された際に前記突起の移動量を規制するストッパを設けたことを特徴とする光ディスク装置。
【００５９】
（２）前記突起及び前記バネはケースに収容されており、
前記突起は、幅広に形成されたウイング部を有し、
前記突起が前記バネの力に抗して押された際に前記ウイング部と前記ストッパが当接することによって、前記突起の移動量を規制することを特徴とする光ディスク装置。
【符号の説明】
【００６０】
１０  ボトムケース
２０  トレイ
３０  ベースアッセンブリ
３１  ベース
３３  光ピックアップユニット
３４、３５  シャフト
３６  ガイド
３７  モータ
３８  スクリュー軸
３９  モータブラケット
【図１】
2013008421.tif 000003
【図２】
2013008421.tif 000004
【図３】
2013008421.tif 000005
【図４】
2013008421.tif 000006
【図５】
2013008421.tif 000007
【図６】
2013008421.tif 000008
【図７】
2013008421.tif 000009
【図８】
2013008421.tif 000010
【図９】
2013008421.tif 000011
【図１０】
2013008421.tif 000012
【図１１】
2013008421.tif 000013